(57)【要約】【課題】予め定められた目的地までの経路を示すために地図が表示された状態での、表示状態の切り替えに係る歩行中における操作性を向上させることができる画像表示装置、撮影装置及び画像表示方法を得る。【解決手段】ＣＰＵ６０は、位置特定部８４によって特定された装置本体の位置から、予め定められた目的地までの経路を示すためにＲＯＭ６５に記憶されている地図の少なくとも一部をＬＣＤ２０に表示すると共に、この状態で、装置本体を把持している手における予め定められた指で操作可能な位置に設けられたレリーズスイッチ１６が操作された際に、ＬＣＤ２０による表示状態を切り替えるようにＬＣＤ２０を制御する。【選択図】図２
2009222921.tif 000002
【特許請求の範囲】
【請求項１】
装置本体の位置を特定する特定手段と、
地図情報が予め記憶された記憶手段と、
前記地図情報により示される地図の少なくとも一部を表示する表示手段と、
装置本体を把持した状態で、当該把持している手における予め定められた指で操作可能な位置に設けられた操作手段と、
前記特定手段によって特定された位置から予め定められた目的地までの経路を示すために前記地図の少なくとも一部を表示すると共に、前記表示手段に前記地図の少なくとも一部が表示された状態で前記操作手段が操作された際に、前記表示手段による表示状態を切り替えるように前記表示手段を制御する制御手段と、
を備えた画像表示装置。
【請求項２】
前記操作手段は、予め定められた複数種類の操作状態とすることが可能とされており、
前記制御手段は、前記表示手段に前記地図の少なくとも一部が表示された状態で前記操作手段が操作された際に、前記操作手段に対する操作状態の種類に応じて、前記表示手段による表示状態を切り替えるように前記表示手段を制御することを特徴とする請求項１記載の画像表示装置。
【請求項３】
音を出力する出力手段を更に備え、
前記制御手段は、前記表示手段に前記地図の少なくとも一部が表示された状態で前記操作手段が操作された際に、前記操作手段に対する操作状態の種類に対応した音を出力するように前記出力手段を更に制御することを特徴とする請求項２記載の画像表示装置。
【請求項４】
装置本体の振動状態を検出する振動検出手段と、
予め定められた処理の実行指示が行われる際に操作される第２の操作手段と、
を更に備え、
前記制御手段は、前記振動検出手段によって検出された振動状態に基づいて使用者が歩行中であるか否かを判定し、当該使用者が歩行中であると判定した場合は、前記第２の操作手段が操作されても、前記予め定められた処理の実行を禁止するように制御することを特徴とする請求項１〜請求項３の何れか１項記載の画像表示装置。
【請求項５】
前記制御手段は、前記予め定められた処理の実行を禁止し、かつ、前記特定手段によって特定された位置が前記目的地を含む所定範囲に含まれる場合に、前記振動検出手段によって検出された振動状態に関わらず、前記予め定められた処理の実行の禁止を解除するように制御することを特徴とする請求項４記載の画像表示装置。
【請求項６】
前記制御手段は、前記予め定められた処理の実行を禁止し、かつ、前記特定手段によって特定される位置に所定時間間隔に所定量以上の変化がない場合に、前記振動検出手段によって検出された振動状態に関わらず、前記予め定められた処理の実行の禁止を解除するように制御することを特徴とする請求項４又は請求項５記載の画像表示装置。
【請求項７】
装置本体の傾きを検出する傾き検出手段を更に備え、
前記制御手段は、前記操作手段の操作状態が所定の状態となっている場合に、前記傾き検出手段によって検出された傾きの方向に基づいて、前記地図を前後方向及び左右方向の少なくとも一方にスクロールさせるように前記表示手段を制御することを特徴とする請求項１〜請求項６の何れか１項記載の画像表示装置。
【請求項８】
請求項１〜請求項７の何れか１項記載の画像表示装置と、
被写体を撮影する撮影手段と、
前記撮影手段により被写体を撮影する際に押圧操作される押圧操作手段と、
を備え、
前記画像表示装置の操作手段が前記押圧操作手段と兼用されていることを特徴とする、
撮影装置。
【請求項９】
装置本体の位置を特定する特定手段と、地図情報が予め記憶された記憶手段と、前記地図情報により示される地図の少なくとも一部を表示する表示手段と、装置本体を把持した状態で、当該把持している手における予め定められた指で操作可能な位置に設けられた操作手段と、を備えた画像表示装置における画像表示方法であって、
前記特定手段によって特定された位置から予め定められた目的地までの経路を示すために前記地図の少なくとも一部を表示すると共に、前記表示手段に前記地図の少なくとも一部が表示された状態で前記操作手段が操作された際に、前記表示手段による表示状態を切り替えるように前記表示手段を制御する、
画像表示方法。
【発明の詳細な説明】
【技術分野】
【０００１】
本発明は、予め定められた目的地までの経路を示す地図を表示することのできる画像表示装置、撮影装置及び画像表示方法に関する。
【背景技術】
【０００２】
近年、例えば、予め定められた目的地までの経路を示す地図等、様々な情報を表示することのできるデジタルカメラ、携帯電話機、ＰＤＡ（Ｐｅｒｓｏｎａｌ  Ｄｉｇｉｔａｌ  Ａｓｓｉｓｔａｎｔ）等の携帯型の画像表示装置が普及している。この種の画像表示装置は、小型であるために、必ずしも操作性がよいとは言えなかった。
【０００３】
この問題を解決するために適用できる技術として、特許文献１には、表示部と操作部とをヒンジユニットを介して結合する携帯型の画像表示装置において、ヒンジユニットを表示部及び操作部の各端部の相対する斜面に設け、表示部をヒンジユニットを中心として各斜面に対して平行な平面方向に回転させることで、操作部を開いた場合に表示部と操作部とに角度を有する状態にし、表示部に表示された画像を見易くする技術が開示されている。
【０００４】
また、特許文献２には、表示部を備える装置本体と、装置本体に連結され、使用者の手に装着される装着体とを備えた携帯型の画像表示装置において、装着体に、目的地までの経路を示す地図を表示させるナビゲーション機能を操作するための操作ボタンを設けた技術が開示されている。
【０００５】
また、特許文献３には、バーコードリーダーとバーコードとの相対的な移動関係を判別し、バーコードリーダーとバーコードとが相対的に停止している場合にバーコードリーダーによるバーコードの読み取りを有効とする技術が開示されている。
【特許文献１】特開２００２−１１１２３８号公報
【特許文献２】特開２００５−１３４１５１号公報
【特許文献３】特開平１０−２２２６００号公報
【発明の開示】
【発明が解決しようとする課題】
【０００６】
しかしながら、特許文献１に開示されている技術では、歩行中における操作性については必ずしも改善されているとは言えない、という問題点があった。また、特許文献２に開示されている技術では、片方の手に装着体を装着し、他方の手で装着体に設けられた操作スイッチを操作しなければならず、この場合も、歩行中における操作性については必ずしも改善されているとは言えない、という問題点があった。更に、特許文献３に開示されている技術では、画像表示装置の絶対的な移動を検出することはできず、当該画像表示装置を使用している使用者が歩行しているか否かを判別することができないため、歩行中における操作性を改善することはできない、という問題点があった。
【０００７】
本発明は上記問題点を解決するためになされたものであり、予め定められた目的地までの経路を示すために地図が表示された状態での、表示状態の切り替えに係る歩行中における操作性を向上させることができる画像表示装置、撮影装置及び画像表示方法を提供することを目的とする。
【課題を解決するための手段】
【０００８】
上記目的を達成するために、請求項１に記載の発明は、装置本体の位置を特定する特定手段と、地図情報が予め記憶された記憶手段と、前記地図情報により示される地図の少なくとも一部を表示する表示手段と、装置本体を把持した状態で、当該把持している手における予め定められた指で操作可能な位置に設けられた操作手段と、前記特定手段によって特定された位置から予め定められた目的地までの経路を示すために前記地図の少なくとも一部を表示すると共に、前記表示手段に前記地図の少なくとも一部が表示された状態で前記操作手段が操作された際に、前記表示手段による表示状態を切り替えるように前記表示手段を制御する制御手段と、を備えている。
【０００９】
請求項１に記載の画像表示装置によれば、特定手段によって装置本体の位置が特定され、表示手段によって記憶手段に予め記憶された地図情報により示される地図の少なくとも一部が表示される。
【００１０】
なお、上記特定手段には、ＧＰＳ（Ｇｌｏｂａｌ  Ｐｏｓｉｔｉｏｎｉｎｇ  Ｓｙｓｔｅｍ）や、携帯電話機等から基地局へ出力する電波を利用して位置を特定する装置等が含まれる。また、上記記憶手段には、ＲＯＭ（Ｒｅａｄ  Ｏｎｌｙ  Ｍｅｍｏｒｙ）やフラッシュメモリ等の半導体記憶素子、ＨＤＤ（Ｈａｒｄ  Ｄｉｓｋ  Ｄｒｉｖｅ）等の固体記録媒体、フレキシブルディスク等の可搬記録媒体等が含まれる。
【００１１】
ここで、本発明では、制御手段によって、上記特定された位置から予め定められた目的地までの経路を示すために地図の少なくとも一部を表示するように表示手段が制御されると共に、表示手段に地図の少なくとも一部が表示された状態で、装置本体を把持している手における予め定められた指で操作可能な位置に設けられた操作手段が操作された際に、表示手段による表示状態を切り替えるように表示手段が制御される。
【００１２】
なお、上記操作手段には、押圧スイッチ、棒状のスイッチ（所謂、ジョイスティック）、スライドスイッチ等の各種スイッチ類が含まれる。また、上記表示状態には、表示されている地図の縮尺度、表示対象位置等が含まれる。
【００１３】
このように、請求項１に記載の画像表示装置によれば、装置本体を把持している手における指で操作手段を操作することで、表示状態を切り替えることができるので、予め定められた目的地までの経路を示すために地図が表示された状態での、表示状態の切り替えに係る歩行中における操作性を向上させることができる。
【００１４】
なお、請求項１に記載の発明は、請求項２に記載の発明のように、前記操作手段が、予め定められた複数種類の操作状態とすることが可能とされており、前記制御手段が、前記表示手段に前記地図の少なくとも一部が表示された状態で前記操作手段が操作された際に、前記操作手段に対する操作状態の種類に応じて、前記表示手段による表示状態を切り替えるように前記表示手段を制御するものとしてもよい。これにより、表示手段による表示状態が操作手段の操作状態の種類に応じて切り替えられる結果、使用者にとっての利便性を向上させることができる。
【００１５】
また、請求項２に記載の発明は、請求項３に記載の発明のように、音を出力する出力手段を更に備え、前記制御手段が、前記表示手段に前記地図の少なくとも一部が表示された状態で前記操作手段が操作された際に、前記操作手段に対する操作状態の種類に対応した音を出力するように前記出力手段を更に制御するものとしてもよい。これにより、使用者が操作手段による操作状態を音により確認することができる結果、使用者にとっての利便性を向上させることができる。
【００１６】
また、請求項１〜請求項３の何れか１項に記載の発明は、請求項４に記載の発明のように、装置本体の振動状態を検出する振動検出手段と、予め定められた処理の実行指示が行われる際に操作される第２の操作手段と、を更に備え、前記制御手段が、前記振動検出手段によって検出された振動状態に基づいて使用者が歩行中であるか否かを判定し、当該使用者が歩行中であると判定した場合は、前記第２の操作手段が操作されても、前記予め定められた処理の実行を禁止するように制御するものとしてもよい。これにより、歩行中に第２の操作手段を操作することにより生じる危険性の発生を抑制することができる。
【００１７】
なお、上記振動検出手段には、ジャイロセンサ、加速度センサ等が含まれる。また、上記第２の操作手段には、表示手段の表示面上に設けられると共に、表面に触れることにより表示手段に表示された操作ボタン等の指定が可能なタッチパネル、各種スイッチ等が含まれる。
【００１８】
また、請求項４に記載の発明は、請求項５に記載の発明のように、前記制御手段が、前記予め定められた処理の実行を禁止し、かつ、前記特定手段によって特定された位置が前記目的地を含む所定範囲に含まれる場合に、前記振動検出手段によって検出された振動状態に関わらず、前記予め定められた処理の実行の禁止を解除するように制御するものとしてもよい。これにより、使用者は、目的地到着後に第２の操作手段による操作を行うことができる結果、使用者にとっての利便性を向上させることができる。
【００１９】
また、請求項４又は請求項５に記載の発明は、請求項６に記載の発明のように、前記制御手段が、前記予め定められた処理の実行を禁止し、かつ、前記特定手段によって特定される位置に所定時間間隔に所定量以上の変化がない場合に、前記振動検出手段によって検出された振動状態に関わらず、前記予め定められた処理の実行の禁止を解除するように制御するものとしてもよい。これにより、使用者は、歩行中でない場合に第２の操作手段による操作を行うことができる結果、使用者にとっての利便性を向上させることができる。
【００２０】
また、請求項１〜請求項６の何れか１項に記載の発明は、請求項７に記載の発明のように、装置本体の傾きを検出する傾き検出手段を更に備え、前記制御手段が、前記操作手段の操作状態が所定の状態となっている場合に、前記傾き検出手段によって検出された傾きの方向に基づいて、前記地図を前後方向及び左右方向の少なくとも一方にスクロールさせるように前記表示手段を制御するものとしてもよい。これにより、使用者は、歩行しているか否かに関わらず、表示手段に表示されている地図を容易にスクロールさせることができる結果、使用者にとっての利便性を向上させることができる。
【００２１】
なお、上記傾き検出手段には、ジャイロセンサ、加速度センサ等が含まれる。
【００２２】
一方、上記目的を達成するために、請求項８に記載の撮影装置は、請求項１〜請求項７の何れか１項記載の画像表示装置と、被写体を撮影する撮影手段と、前記撮影手段により被写体を撮影する際に押圧操作される押圧操作手段と、前記画像表示装置の操作手段が前記押圧操作手段と兼用されていることを特徴とする。
【００２３】
このように、請求項８に記載の撮影装置によれば、本発明の画像表示装置を備えているので、当該画像表示装置と同様に、予め定められた目的地までの経路を示すために地図が表示された状態での、表示状態の切り替えに係る歩行中における操作性を向上させることができる。
【００２４】
なお、上記撮像手段には、ＣＣＤ（Ｃｈａｒｇｅ  Ｃｏｕｐｌｅｄ  Ｄｅｖｉｃｅ）エリアセンサ、ＣＭＯＳ（Ｃｏｍｐｌｅｍｅｎｔａｒｙ  Ｍｅｔａｌ-Ｏｘｉｄｅ  Ｓｅｍｉｃｏｎｄｕｃｔｏｒ）イメージセンサ等の固体撮像素子が含まれる。
【００２５】
一方、上記目的を達成するために、請求項９に記載の画像表示方法は、装置本体の位置を特定する特定手段と、地図情報が予め記憶された記憶手段と、前記地図情報により示される地図の少なくとも一部を表示する表示手段と、装置本体を把持した状態で、当該把持している手における予め定められた指で操作可能な位置に設けられた操作手段と、を備えた画像表示装置における画像表示方法であって、前記特定手段によって特定された位置から予め定められた目的地までの経路を示すために前記地図の少なくとも一部を表示すると共に、前記表示手段に前記地図の少なくとも一部が表示された状態で前記操作手段が操作された際に、前記表示手段による表示状態を切り替えるように前記表示手段を制御する。
【００２６】
従って、請求項９に記載の画像表示方法によれば、請求項１に記載の発明と同様に作用するので、請求項１に記載の発明と同様に、予め定められた目的地までの経路を示すために地図が表示された状態での、表示状態の切り替えに係る歩行中における操作性を向上させることができる。
【発明の効果】
【００２７】
以上説明した如く、本発明によれば、予め定められた目的地までの経路を示すために地図が表示された状態での、表示状態の切り替えに係る歩行中における操作性を向上させることができる、という優れた効果を有する。
【発明を実施するための最良の形態】
【００２８】
以下、図面を参照して、本発明の実施の形態について詳細に説明する。なお、本実施の形態では、本発明を、予め定められた目的地までの経路を示す地図を表示するナビゲーション機能を有するデジタル電子スチルカメラ（以下、「デジタルカメラ」という。）に適用した場合について説明する。
【００２９】
まず、図１を参照して、本実施の形態に係るデジタルカメラ１０の外観上の構成を説明する。
【００３０】
同図に示すように、デジタルカメラ１０の正面には、被写体像を結像させるためのレンズ１２と、撮影時における光量不足を補うための発光を行うストロボ１４と、が備えられている。また、デジタルカメラ１０の上面には、撮影を実行する際に使用者によって押圧操作されるレリーズスイッチ（所謂シャッター）１６と、電源スイッチ１８と、が備えられている。
【００３１】
なお、本実施の形態に係るレリーズスイッチ１６は、装置本体を把持した状態で、当該把持している手における予め定められた指で操作可能な位置に設けられ、中間位置まで押下される状態（以下、「半押し状態」という。）と、当該中間位置を超えた最終押下位置まで押下される状態（以下、「全押し状態」という。）と、の２段階の押圧操作が検出可能に構成されている。そして、本実施の形態に係るデジタルカメラ１０では、レリーズスイッチ１６を半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き全押し状態にすることにより、撮影の実行指示が入力されたものとして、露光（撮影）が行われる。
【００３２】
一方、デジタルカメラ１０の背面には、撮影によって取得された撮影画像情報により示される被写体像や各種メニュー画面、メッセージ等を表示するための液晶ディスプレイ（以下、「ＬＣＤ」という。）２０と、ＬＣＤ２０の表示面上に設置されたタッチパネル２１と、撮影を行う動作モードである撮影モード、撮影によって取得された撮影画像情報により示される被写体像をＬＣＤ２０に再生する動作モードである再生モード、及びナビゲーション機能によってＬＣＤ２０に目的地までの経路を示す動作モードであるナビゲーションモードの何れかの動作モードに切り替える際に操作されるモード切替スイッチ２２と、ＬＣＤ２０の表示領域における上下左右の４方向の移動方向を示す４つの矢印キーを含んで構成された十字カーソルスイッチ２４と、スピーカー２６と、が備えられている。
【００３３】
次に、図２を参照して、本実施の形態に係るデジタルカメラ１０の電気系の要部構成を説明する。
【００３４】
同図に示すように、デジタルカメラ１０は、前述のレンズ１２を含んで構成された光学ユニット５０と、レンズ１２の光軸後方に配設されたＣＣＤエリアセンサ５２と、入力されたアナログ信号に対して各種のアナログ信号処理を行うアナログ信号処理部５４と、入力されたアナログ信号をデジタル情報に変換するアナログ／デジタル変換器（以下、「ＡＤＣ」という。）５６と、入力されたデジタル情報に対して各種のデジタル信号処理を行うデジタル信号処理部５８と、が備えられている。
【００３５】
なお、デジタル信号処理部５８は、所定容量のラインバッファを内蔵し、入力されたデジタル情報を後述するＲＡＭ（Ｒａｎｄｏｍ  Ａｃｃｅｓｓ  Ｍｅｍｏｒｙ）６４の所定領域に直接記憶させる制御も行う。
【００３６】
ＣＣＤエリアセンサ５２の出力端はアナログ信号処理部５４の入力端に、アナログ信号処理部５４の出力端はＡＤＣ５６の入力端に、ＡＤＣ５６の出力端はデジタル信号処理部５８の入力端に、各々接続されている。従って、ＣＣＤエリアセンサ５２から出力された被写体像を示すアナログ信号はアナログ信号処理部５４によって所定のアナログ信号処理が施され、ＡＤＣ５６によってデジタル画像情報に変換された後にデジタル信号処理部５８に入力される。
【００３７】
一方、デジタルカメラ１０は、デジタルカメラ１０全体の動作を司るＣＰＵ（Ｃｅｎｔｒａｌ  Ｐｒｏｃｅｓｓｉｎｇ  Ｕｎｉｔ）６０と、被写体像やメニュー画面等をＬＣＤ２０に表示させるための信号を生成してＬＣＤ２０に供給するＬＣＤインタフェース６２と、撮像により取得されたデジタル画像情報等の各種情報を一時的に記憶するＲＡＭ６４と、ナビゲーションモードとされている場合にＬＣＤ２０に表示する地図を示す地図情報や、各種プログラム等が予め記憶された予め記憶されたＲＯＭ６５と、ＲＡＭ６４及びＲＯＭ６５に対するアクセスの制御を行うメモリインタフェース６６と、を備えている。
【００３８】
なお、本実施の形態に係るデジタルカメラ１０では、上記地図情報として、デジタルカメラ１０によりナビゲーションの対象とされている地域内（一例として、日本）の地図を示す地図情報を適用する。
【００３９】
また、デジタルカメラ１０は、可搬型のメモリカード６８をデジタルカメラ１０でアクセス可能とするための外部メモリインタフェース７０と、種々の音をスピーカー２６に出力させるための信号を生成してスピーカー２６に供給するスピーカーインタフェース７２と、デジタル画像情報に対する圧縮処理及び伸張処理を行う圧縮・伸張処理回路７４と、ＡＦ機能を働かせるために必要とされる物理量（本実施の形態では、ＣＣＤエリアセンサ５２による撮像によって得られた画像のコントラスト評価値。）を検出するＡＦ検出回路７６と、ＡＥ機能及びＡＷＢ（Ａｕｔｏｍａｔｉｃ  Ｗｈｉｔｅ  Ｂａｌａｎｃｅ）機能を働かせるために必要とされる物理量（本実施の形態では、ＣＣＤエリアセンサ５２による撮像によって得られた画像の明るさを示す量。）を検出するＡＥ・ＡＷＢ検出回路７８と、を含んで構成されている。
【００４０】
さらに、デジタルカメラ１０は、装置本体の振動状態を検出する振動検出部８０と、装置本体の傾きを検出する傾き検出部８２と、装置本体の位置（以下、「現在位置」という。）を特定する位置特定部８４と、を備えている。
【００４１】
なお、本実施の形態では、振動検出部８０及び傾き検出部８２として、共にジャイロセンサを適用するが、これに限らず、加速度センサ等の他のセンサを適用してもよい。また、本実施の形態に係る傾き検出部８２は、一例として、図３に示される矢印Ａ，Ｂ方向及び矢印Ｃ，Ｄ方向に対するデジタルカメラ１０の傾きを検出する場合を適用するが、これに限らず、矢印Ａ，Ｂ方向又は矢印Ｃ，Ｄ方向のうち何れかの方向の傾きのみを検出する場合を適用してもよいし、図３に示される方向以外の方向の傾きを検出する場合を適用してもよい。
【００４２】
また、本実施の形態に係る位置特定部８４は、アンテナ８６を介してＧＰＳ衛星からのＧＰＳ信号を受信して、現在位置を緯度、経度及び高度によって特定する。
【００４３】
デジタル信号処理部５８、ＣＰＵ６０、ＬＣＤインタフェース６２、メモリインタフェース６６、外部メモリインタフェース７０、スピーカーインタフェース７２、圧縮・伸張処理回路７４、ＡＦ検出回路７６、ＡＥ・ＡＷＢ検出回路７８、振動検出部８０、傾き検出部８２、及び位置特定部８４はシステムバス８７を介して相互に接続されている。従って、ＣＰＵ６０は、デジタル信号処理部５８、及び圧縮・伸張処理回路７４の作動の制御、ＬＣＤ２０に対するＬＣＤインタフェース６２を介した各種情報の表示、スピーカー２６に対するスピーカーインタフェース７２を介した種々の音の出力、ＲＡＭ６４、及びＲＯＭ６５へのメモリインタフェース６６を介したアクセス、メモリカード６８への外部メモリインタフェース７０を介したアクセス、振動検出部８０、傾き検出部８２、及び位置特定部８４からの検出結果等の取得を行うことができる。
【００４４】
一方、デジタルカメラ１０には、主としてＣＣＤエリアセンサ５２を駆動させるためのタイミング信号を生成してＣＣＤエリアセンサ５２に供給するタイミングジェネレータ８８が備えられており、ＣＣＤエリアセンサ５２の駆動はＣＰＵ６０によりタイミングジェネレータ８８を介して制御される。
【００４５】
更に、デジタルカメラ１０にはモータ駆動部９０が備えられており、光学ユニット５０に備えられた図示しない焦点調整モータ、ズームモータ及び絞り駆動モータの駆動もＣＰＵ６０によりモータ駆動部９０を介して制御される。
【００４６】
一方、前述のレリーズスイッチ１６、電源スイッチ１８、タッチパネル２１、モード切替スイッチ２２、及び十字カーソルスイッチ２４の各種スイッチ類（同図では、「操作部９２」と総称。）はＣＰＵ６０に接続されており、ＣＰＵ６０は、これらの操作部９２に対する操作状態を常時把握できる。
【００４７】
また、デジタルカメラ１０には、ストロボ１４とＣＰＵ６０との間に介在されると共に、ＣＰＵ６０の制御によりストロボ１４を発光させるための電力を充電する充電部９４が備えられている。更に、ストロボ１４はＣＰＵ６０にも接続されており、ストロボ１４の発光はＣＰＵ６０によって制御される。
【００４８】
また、ＣＰＵ６０は、ナビゲーションモードとされている場合には、位置特定部８４によって特定された装置本体の位置から予め定められた目的地までの経路を示すために、ＲＯＭ６５に記憶された地図情報により示される地図の少なくとも一部を表示すると共に、ＬＣＤ２０に当該地図の少なくとも一部が表示された状態でレリーズスイッチ１６が操作された際に、ＬＣＤ２０による表示状態を切り替えるようにＬＣＤ２０を制御する。
【００４９】
なお、本実施の形態では、上記表示状態として、一例として、ＬＣＤ２０に表示されている地図の縮尺度及び表示対象位置を適用するが、上記表示状態はこれに限らないことは言うまでもない。
【００５０】
また、ＣＰＵ６０は、ＬＣＤ２０に地図の一部又は全部が表示された状態でレリーズスイッチ１６が操作された際に、レリーズスイッチ１６に対する操作状態の種類に応じて、ＬＣＤ２０による表示状態を切り替えるようにＬＣＤ２０を制御する。
【００５１】
なお、本実施の形態では、上記操作状態として、半押し状態でのクリック、半押し状態での長押し、半押し状態でのダブルクリック、全押し状態でのクリック、及び全押し状態での長押しを適用するが、これに限らないことは言うまでもない。
【００５２】
次に、本実施の形態に係るデジタルカメラ１０の撮影時における全体的な動作について簡単に説明する。
【００５３】
まず、ＣＣＤエリアセンサ５２は、光学ユニット５０を介した撮像を行い、被写体像を示すＲ（赤）、Ｇ（緑）、Ｂ（青）毎のアナログ信号をアナログ信号処理部５４に順次出力する。アナログ信号処理部５４は、ＣＣＤエリアセンサ５２から入力されたアナログ信号に対して相関二重サンプリング処理等のアナログ信号処理を施した後にＡＤＣ５６に順次出力する。
【００５４】
ＡＤＣ５６は、アナログ信号処理部５４から入力されたＲ、Ｇ、Ｂ毎のアナログ信号を各々所定ビット数（ここでは、１２ビット）のＲ、Ｇ、Ｂの信号（デジタル画像データ）に変換してデジタル信号処理部５８に順次出力する。デジタル信号処理部５８は、内蔵しているラインバッファにＡＤＣ５６から順次入力されるデジタル画像データを蓄積して一旦ＲＡＭ６４の所定領域に直接格納する。
【００５５】
ＲＡＭ６４の所定領域に格納されたデジタル画像データは、ＣＰＵ６０による制御に応じてデジタル信号処理部５８により読み出され、所定の物理量に応じたデジタルゲインをかけることでホワイトバランス調整を行なうと共に、ガンマ処理及びシャープネス処理を行なって所定ビット、例えば８ビットのデジタル画像データを生成する。
【００５６】
そして、デジタル信号処理部５８は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をＲＡＭ６４の上記所定領域とは異なる領域に格納する。
【００５７】
なお、ＬＣＤ２０は、ＣＣＤエリアセンサ５２による連続的な撮像によって得られた動画像（スルー画像）を表示してファインダとして使用することができるものとして構成されており、ＬＣＤ２０をファインダとして使用する場合には、生成したＹＣ信号を、ＬＣＤインタフェース６２を介して順次ＬＣＤ２０に出力する。これによってＬＣＤ２０にスルー画像が表示されることになる。
【００５８】
ここで、レリーズスイッチ１６が使用者によって半押し状態とされた場合、前述のようにＡＥ機能が働いて露出状態が設定された後、ＡＦ機能が働いて合焦制御され、その後、引き続き全押し状態とされた場合、この時点でＲＡＭ６４に格納されているＹＣ信号を、圧縮・伸張処理回路７４によって所定の圧縮形式（本実施の形態では、ＪＰＥＧ形式）で圧縮した後に外部メモリインタフェース７０を介してメモリカード６８に記録する。
【００５９】
次に、図４に示されるフローチャートを参照して、本実施の形態に係るデジタルカメラ１０の作用を説明する。なお、図４は、動作モードがナビゲーションモードとされた際にＣＰＵ６０によって実行されるナビゲーションプログラムの処理の流れを示すフローチャートであり、当該プログラムはＲＯＭ６５に予め記憶されている。
【００６０】
まず、同図のステップ１００では、位置特定部８４によって現在位置を示す緯度、経度及び高度を特定させ、これにより、特定された現在位置を示す情報（以下、「現在位置情報」という。）を位置特定部８４から取得する。
【００６１】
次のステップ１０２では、取得した現在位置情報により示される現在位置が含まれている所定領域（本実施の形態では、予め定められた縮尺度で示される領域）に対応する地図情報をＲＯＭ６５から読み出す。
【００６２】
次のステップ１０４では、所定の初期画面をＬＣＤ２０に表示させる。
【００６３】
ここで、図５に、上記初期画面の一例を示す。同図に示すように本実施の形態に係るデジタルカメラ１０では、上記初期画面として、現在位置に対応する予め定められた縮尺度の地図が表示され、ポインタ９６によって現在位置が示される。また、本実施の形態に係るデジタルカメラ１０では、ＬＣＤ２０に、地図及びポインタ９６と共に、現在位置を示す住所、縮尺度を示す縮尺度ゲージ９７、及び使用者に目的地を入力させるための目的地入力領域９８を表示する。
【００６４】
なお、本実施の形態に係るデジタルカメラ１０は、上記ステップ１００においてＧＰＳ信号を受信できない等の理由により、現在位置が特定できない場合は、ステップ１０４において、現在位置が特定できなかったことを示す画面をＬＣＤ２０に表示させる。
【００６５】
次のステップ１０６では、目的地入力領域９８への目的地の入力が終了したか否かを判定し、否定判定となった場合はステップ１０８へ移行する。
【００６６】
ステップ１０８では、ステップ１００における処理と同様に、位置特定部８４によって現在位置を特定させ、位置特定部８４から上記位置特定情報を取得する。
【００６７】
次のステップ１１０では、ステップ１０８で特定された現在位置に対応する地図を表示させると共に、ＬＣＤ２０に表示されているポインタ９６を現在位置に移動させることで、ＬＣＤ２０に表示させている初期画面を更新し、ステップ１０６へ戻る。
【００６８】
一方、ステップ１０６における判定処理で肯定判定となった場合は、ステップ１１２へ移行する。
【００６９】
ステップ１１２では、ステップ１００における処理と同様に、位置特定部８４によって現在位置を特定させ、位置特定部８４から上記位置特定情報を取得する。
【００７０】
次のステップ１１４では、ステップ１１２で特定させた現在位置を示す現在位置情報をＲＡＭ６４に時系列順に記憶させる。
【００７１】
次のステップ１１６では、ＬＣＤ２０に表示させている地図を、ステップ１１２で特定させた現在位置から設定された目的地までの経路を示す地図に更新すると共に、ポインタ９６をステップ１１２で特定させた現在位置に移動させる。
【００７２】
次のステップ１１８では、振動検出部８０によって装置本体の振動状態を検出させる。      
【００７３】
本実施の形態に係るデジタルカメラ１０では、振動検出部８０によって、装置本体の振動状態を、静止状態を示す所定値からの変位として検出させ、これにより、検出された変位を示す情報（以下、「振動情報」という。）を振動検出部８０から取得する。
【００７４】
次のステップ１２０では、ステップ１１８で検出させた装置の振動状態を示す上記振動情報を、ＲＡＭ６４に時系列順に記憶させる。
【００７５】
次のステップ１２２では、ＲＡＭ６４から時系列順に記憶させた振動情報を読み出し、読み出した振動情報から振動周波数の主成分を導出し、当該振動周波数が、使用者が歩行中であるとみなすことのできる所定周波数未満であるか否か判定し、肯定判定となった場合はステップ１２４へ移行する。
【００７６】
なお、本実施の形態に係るデジタルカメラ１０では、上記振動周波数として、一例として２Ｈｚを適用する。また、本実施の形態に係るデジタルカメラ１０では、使用者が歩行中であるか否かを判断するために、振動周波数が上記所定周波数未満であるか否かを判定する判定方法を適用したが、これに限らず、例えば、振動検出部８０によって検出された変位（振幅）が、予め定められた閾値よりを超えた場合に歩行中と判定する判定方法、上記振幅及び振動周波数を組み合わせて歩行中であるか否かを判定する判定方法等、他の判定方法を適用してもよい。
【００７７】
ステップ１２４では、ＲＡＭ６４から時系列順に記憶させた現在位置情報を読み出し、当該読み出した現在位置情報に基づいて現在位置が変動しているか否かを判定し、判定が肯定判定となった場合はステップ１２６へ移行する。
【００７８】
なお、本実施の形態では、読み出した現在位置情報により示される緯度、経度及び高度に、所定時間間隔（本実施の形態では、一例として３０秒）に所定量（本実施の形態では、一例として３ｍ）以上の変化がない場合以外を現在位置に変動があると判定する。
【００７９】
なお、本実施の形態に係るデジタルカメラ１０では、上記所定間隔及び上記所定量として、予め使用者が設定した値を適用してもよい。
【００８０】
ステップ１２６では、所定スイッチ（本実施の形態では、レリーズスイッチ１６）以外のスイッチのうち、予め定められたスイッチが操作されることによる予め定められた処理の実行を禁止する所定処理禁止処理を実行する。なお、本実施の形態に係るデジタルカメラ１０では、所定処理禁止処理の対象となる予め定められた処理として、一例として、タッチパネル２１に触れている指の移動により地図の表示対象位置を移動させる処理等、タッチパネル２１が操作されることによる処理を適用するが、これに限らず、他のスイッチが操作されることによる予め定められた処理を適用してもよい。
【００８１】
一方、ステップ１２２又はステップ１２４における判定処理で否定判定となった場合は、ステップ１２８へ移行する。
【００８２】
ステップ１２８では、上記予め定められた処理の実行が禁止状態となっているか否かを判定し、肯定判定となった場合はステップ１３０へ移行し、禁止されている上記予め定められた処理を復帰させた後にステップ１３２へ移行する一方、否定判定となった場合は、そのままステップ１３２へ移行する。
【００８３】
ステップ１３２では、レリーズスイッチ１６が操作されたか否かを判定する。肯定判定となった場合はステップ１３４へ移行する。
【００８４】
ステップ１３４では、レリーズスイッチ１６に対する操作状態の種類に対応した音を出力するようにスピーカーインタフェース７２を制御する。これを受けてスピーカーインタフェース７２は、スピーカー２６から音を出力させる。
【００８５】
次のステップ１３６では、レリーズスイッチ１６に対する操作状態の種類に応じてＬＣＤ２０の表示状態を切替え、ステップ１３８へ移行する。
【００８６】
ここで、表１に、ナビゲーションモードとされた場合における、レリーズスイッチ１６に対する操作状態の種類と当該種類に応じた機能（ＬＣＤ２０による表示状態）との関係の一例を示す。また、表１には、撮影モードでレリーズスイッチ１６を操作した場合とナビゲーションモードでレリーズスイッチ１６を操作した場合における機能の差異を明確にするために、撮影モードにおけるレリーズスイッチ１６に対する操作状態の種類と当該種類に応じた機能も示す。
【００８７】
【表１】
2009222921.tif 000003
表１に示すように、ナビゲーションモードとされた場合に、レリーズスイッチ１６が半押し状態でクリックされると、スピーカー２６から３００Ｈｚの音Ａを出力させた後、ＬＣＤ２０に表示する地図の表示対象位置を前方向（目的地の方向）に移動させる。なお、本実施の形態に係るデジタルカメラ１０では、一例として、レリーズスイッチ１６が半押し状態でクリックされる毎に、上記表示対象位置の移動量として前方向に５０ｍ移動させる場合を適用するが、これに限らず、例えば、２５ｍ、１００ｍ等、他の移動量を適用してもよいし、予め使用者が設定した移動量を適用してもよい。
【００８８】
また、レリーズスイッチ１６が半押し状態で長押し（本実施の形態では、一例として３秒）されると、スピーカー２６から５００Ｈｚの音Ｂを出力させた後、ＬＣＤ２０に表示する地図の表示範囲を拡大、すなわち、縮尺度を小さくする。なお、本実施の形態に係るデジタルカメラ１０では、一例として、レリーズスイッチ１６が半押し状態で長押しされる毎に、縮尺度を１／１０倍する場合を適用するが、これに限らず、１／５倍、１／２０倍等、他の倍率を適用してもよいし、予め使用者が設定した倍率を適用してもよい。
【００８９】
また、レリーズスイッチ１６が半押し状態でダブルクリックされると、スピーカー２６から６００Ｈｚの音Ｃを出力した後、ＬＣＤ２０に表示する地図の表示範囲を縮小、すなわち、縮尺度を大きくする。なお、本実施の形態に係るデジタルカメラ１０では、一例として、レリーズスイッチ１６が半押し状態でダブルクリックされる毎に、縮尺度を１０倍する場合を適用するが、これに限らず、２倍、２０倍等、他の倍率を適用してもよいし、予め使用者が設定した倍率を適用してもよい。
【００９０】
また、レリーズスイッチ１６が全押し状態でクリックされると、スピーカー２６から７００Ｈｚの音Ｄを出力した後、ＬＣＤ２０に表示する地図の縮尺度を予め設定されている初期値に戻し、ポインタ９６をＬＣＤ２０に表示している地図の中心に戻す。
【００９１】
更に、レリーズスイッチ１６が全押し状態が継続（本実施の形態では、一例として４秒以上）されると、スピーカー２６から１０００Ｈｚの音Ｅを出力した後、当該長押しが継続されている状態における装置本体の傾きを傾き検出部８２によって検出し、検出した傾きの方向に基づいて、ＬＣＤ２０に表示している地図をスクロールさせる。
【００９２】
本実施の形態に係るデジタルカメラ１０では、レリーズスイッチ１６が全押し状態が継続されたままで、傾き検出部８２によってデジタルカメラ１０が図３の矢印Ａ方向に傾いたことが検出されると、表示している地図を、一例として図６に示すように前方向にスクロールさせる。また、傾き検出部８２によって図３の矢印Ｂ方向に傾いたことを検出すると、表示している地図を後方向にスクロールさせる。更に、傾き検出部８２によって図３の矢印Ｃ方向に傾いたことを検出すると、表示している地図を左方向にスクロールさせ、図３の矢印Ｄ方向に傾いたことを検出すると、表示している地図を右方向にスクロールさせる。
【００９３】
なお、本実施の形態に係るデジタルカメラ１０は、表示している地図をスクロールさせる速度を、傾き検出部８２によって検出された角度が大きいほど速くする場合を適用するが、これに限らず、傾き検出部８２によって検出された時間が長くなるほど速くする場合等、を適用してもよい。
【００９４】
一方、ステップ１３２における判定処理で否定判定となった場合は、ステップ１３４及びステップ１３６における処理を実行することなく、ステップ１３８へ移行する。
【００９５】
次のステップ１３８では、現在位置が目的地を含む所定範囲内（本実施の形態では、一例として３ｍ）に含まれるか否かを判定することによって、使用者が目的地に到着したか否かを判定し、肯定判定となった場合は、ステップ１１２へ戻る一方、肯定判定となった場合は、ステップ１４０へ移行する。
【００９６】
ステップ１４０では、タッチパネル２１を操作することによる上記予め定められた処理の実行が禁止状態となっているか否かを判定し、肯定判定となった場合はステップ１４２へ移行し、禁止されている上記予め定められた処理を復帰させた後、本プログラムを終了する一方、否定判定となった場合は、そのまま本プログラムを終了する。
【００９７】
以上詳細に説明したように、本実施の形態では、特定手段（ここでは、位置特定部８４）により装置本体の位置を特定し、表示手段（ここでは、ＬＣＤ２０）により、記憶手段（ここでは、ＲＯＭ６５）に予め記憶された地図情報により示される地図の少なくとも一部を表示し、制御手段（ここでは、ＣＰＵ６０）により、特定された位置から予め定められた目的地までの経路を示すために地図の少なくとも一部を表示すると共に、表示手段に地図の少なくとも一部が表示された状態で、装置本体を把持している手における予め定められた指で操作可能な位置に設けられた操作手段（ここでは、レリーズスイッチ１６）が操作された際に、表示手段による表示状態を切り替えるように表示手段を制御するので、予め定められた目的地までの経路を示すために地図が表示された状態での、表示状態の切り替えに係る歩行中における操作性を向上させることができる。
【００９８】
また、本実施の形態では、操作手段が、予め定められた複数種類の操作状態とすることが可能とされており、制御手段が、表示手段に地図の少なくとも一部が表示された状態で操作手段が操作された際に、操作手段に対する操作状態の種類に応じて、表示手段による表示状態を切り替えるように表示手段を制御するので、表示手段による表示状態が操作手段の操作状態の種類に応じて切り替えられる結果、使用者にとっての利便性を向上させることができる。
【００９９】
また、本実施の形態では、音を出力する出力手段（ここでは、スピーカー２６）を更に備え、制御手段が、表示手段に地図の少なくとも一部が表示された状態で操作手段が操作された際に、操作手段に対する操作状態の種類に対応した音を出力するように出力手段を更に制御するので、使用者が操作手段による操作状態を音により確認することができる結果、使用者にとっての利便性を向上させることができる。
【０１００】
また、本実施の形態では、装置本体の振動状態を検出する振動検出手段（ここでは、振動検出部８０）と、予め定められた処理の実行指示が行われる際に操作される第２の操作手段（ここでは、タッチパネル２１）と、を更に備え、制御手段が、振動検出手段によって検出された振動状態に基づいて使用者が歩行中であるか否かを判定し、当該使用者が歩行中であると判定した場合は、第２の操作手段が操作されても、予め定められた処理の実行を禁止するように制御するので、歩行中に第２の操作手段を操作することにより生じる危険性の発生を抑制することができる。
【０１０１】
また、本実施の形態では、制御手段が、予め定められた処理の実行を禁止し、かつ、特定手段によって特定された位置が目的地を含む所定範囲に含まれる場合に、振動検出手段によって検出された振動状態に関わらず、予め定められた処理の実行の禁止を解除するように制御するので、使用者は、目的地到着後に第２の操作手段による操作を行うことができる結果、使用者にとっての利便性を向上させることができる。
【０１０２】
また、本実施の形態では、制御手段は、予め定められた処理の実行を禁止し、かつ、特定手段によって特定される位置に所定時間間隔に所定量以上の変化がない場合に、振動検出手段によって検出された振動状態に関わらず、予め定められた処理の実行の禁止を解除するように制御するので、使用者は、歩行中でない場合に第２の操作手段による操作を行うことができる結果、使用者にとっての利便性を向上させることができる。
【０１０３】
また、本実施の形態では、装置本体の傾きを検出する傾き検出手段（ここでは、傾き検出部８２）を更に備え、制御手段が、操作手段の操作状態が所定の状態となっている場合に、傾き検出手段によって検出された傾きの方向に基づいて、地図を前後方向及び左右方向の少なくとも一方にスクロールさせるように表示手段を制御するもので、使用者は、歩行しているか否かに関わらず、表示手段に表示されている地図を容易にスクロールさせることができる結果、使用者にとっての利便性を向上させることができる。
【０１０４】
以上、本発明を上記実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１０５】
また、上記実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における組み合わせにより種々の発明を抽出できる。上記実施の形態に示される全構成要件から幾つかの構成要件が削除されても、効果が得られる限りにおいて、この幾つかの構成要件が削除された構成が発明として抽出され得る。
【０１０６】
また、上記実施の形態では、本発明の画像表示装置をデジタルカメラに適用する場合について説明したが、本発明はこれに限定されるものではなく、例えば、ナビゲーション機能を有する携帯電話機、ＰＤＡ等の携帯型の画像表示装置に適用する形態としてもよい。この場合も、上記実施の形態と同様の効果を奏することができる。
【０１０７】
ここで、図７を参照して、一例として、本発明に係る画像表示装置を適用した携帯電話機３００の外観上の構成を説明する。
【０１０８】
携帯電話機３００は、表示部３０２及び操作部３０４が備えられ、表示部３０２と操作部３０４とがヒンジ部３０６によって連結され、操作部３０４が表示部３０２に対して開閉可能とされている。なお、図７に示す携帯電話機３００は、操作部３０４が閉じられている状態を示している。
【０１０９】
表示部３０２には、本発明の表示手段であるＬＣＤ３１０、本発明の操作手段である操作スイッチ３１２、及び電源スイッチ３１４が備えられており、ナビゲーションモードとされている場合に、当該操作スイッチ３１２を操作することで、ＬＣＤ３１０の表示状態を切り替えることができる。また、携帯電話機３００がカメラ機能を有している場合は、操作スイッチ３１２がレリーズスイッチと兼用されてもよい。
【０１１０】
その他、上記実施の形態で説明したデジタルカメラ１０の構成（図１及び図２参照。）は一例であり、本発明の主旨を逸脱しない範囲内において不要な部分を削除したり、新たな部分を追加したりすることができることは言うまでもない。
【０１１１】
また、上記実施の形態で説明したナビゲーションプログラムの処理の流れ（図４参照。）も一例であり、本発明の主旨を逸脱しない範囲内において不要なステップを削除したり、新たなステップを追加したり、処理順序を入れ替えたりすることができることは言うまでもない。
【図面の簡単な説明】
【０１１２】
【図１】実施の形態に係るデジタルカメラの外観を示す外観図である。
【図２】実施の形態に係るデジタルカメラの電気系の要部構成を示すブロック図である。
【図３】実施の形態に係るデジタルカメラの傾きの検出の説明に供する図である。
【図４】実施の形態に係るナビゲーションプログラムの処理の流れを示すフローチャートである。
【図５】実施の形態に係るＬＣＤに表示されるナビゲーションモードの初期画面の一例を示す概略図である。
【図６】実施の形態に係るデジタルカメラを傾けた場合におけるＬＣＤに表示される地図のスクロール状態の一例を示す図である。
【図７】実施の形態の他の形態に係る携帯電話機の斜視図である。
【符号の説明】
【０１１３】
１０    デジタルカメラ
１６    レリーズスイッチ（操作手段）
２０    ＬＣＤ（表示手段）
２１    タッチパネル（第２の操作手段）
２６    スピーカー（出力手段）
６０    ＣＰＵ（制御手段）
６５    ＲＯＭ（記憶手段）
８０    振動検出部（振動検出手段）
８２    傾き検出部（傾き検出手段）
８４    位置特定部（特定手段）
【図１】
2009222921.tif 000004
【図２】
2009222921.tif 000005
【図３】
2009222921.tif 000006
【図４】
2009222921.tif 000007
【図５】
2009222921.tif 000008
【図６】
2009222921.tif 000009
【図７】
2009222921.tif 000010